(57)【特許請求の範囲】
【請求項１】
靴類の内壁面形状に膨出する透明プラスチック製袋体であって、その表面に光触媒層を形成してなり、かつ前記袋体の中に発光光源を内装してなることを特徴とする靴類の形状保持具。
【請求項２】
靴類の内壁面形状に膨出する透明プラスチック製袋体であって、その表面に光触媒層を形成してなり、その上部壁に圧縮空気注入・排出用バルブを備え、かつ前記袋体の中に発光光源を内装してなることを特徴とする靴類の形状保持具。
【請求項３】
光触媒が、アナターゼ型酸化チタンであることを特徴とする前記請求項１又は２のいずれかに記載の靴類の形状保持具。
【請求項４】
光触媒層が噴霧により形成されたものであることを特徴とする前記請求項１〜３のいずれか１項に記載の靴類の形状保持具。
【請求項５】
光触媒層が塗布により形成されたものであることを特徴とする前記請求項１〜３にいずれか１項に記載の靴類の形状保持具。
【請求項６】
靴類が短靴であることを特徴とする請求項１〜５のいずれか１項に記載の靴類の形状保持具。
【請求項７】
靴類がブーツであることを特徴とする請求項１〜５のいずれか１項に記載の靴類の形状保持具。
【請求項８】
靴類がブーツであって、膨出時にブーツ筒状部の内部脹脛形状に相当する外形を形成する透明プラスチック製の筒状袋体であり、その上部壁に圧縮空気注入・排出用バルブを備えてなることを特徴とする請求項７に記載の靴類の形状保持具。
【請求項９】
発光光源が電池とランプとからなることを特徴とする請求項１〜８に記載の靴類の形状保持具。
【請求項１０】
発光光源が光ファイバー等の導光材料であることを特徴とする請求項１〜８に記載の靴類の形状保持具。
【請求項１１】
一つの靴類の形状保持具の上部に、他の靴類の形状保持具をその上部で連結するための連結手段を備えてなることを特徴とする請求項１〜１０のいずれか１項に記載の靴類の形状保持具。
【発明の詳細な説明】
【０００１】
【発明の属する技術分野】
本発明は、抗菌・消臭機能を有する改善された靴類の形状保持具の提供に関する。
【０００２】
【従来の技術及び発明が解決しようとする課題】
従来、靴類は革やビニール・ナイロン及びゴム等の素材で構成されているが、足との装着感を優れたものにするために、一般に柔らかい素材で構成されている。そのため、使用頻度が高くなるにつれ、形状が崩れて変形してしまうという問題があった。特に革製の靴類や、膝の辺りまで丈のあるブーツと称される長靴は、形状が保持しにくく、手入れは難しいとされている。
また、前記革製の靴や、ブーツなどは通気が悪く、着用時には発汗しやすく、蒸れやすいため、悪臭が生じたり、カビや病原菌が生じてしまうということが問題となっていた。
【０００３】
【課題を解決するための手段】
本発明は前記問題を解決するものであって、下記構成の靴類の形状保持具である。
（１）靴類の内壁面形状に膨出する透明プラスチック製袋体であって、その表面に光触媒層を形成してなり、前記袋体の中に発光光源を内装してなることを特徴とする靴類の形状保持具。
（２）靴類の内壁面形状に膨出する透明プラスチック製袋体であって、その表面に光触媒層を形成してなり、その上部壁に圧縮空気注入・排出用バルブを備え、前記袋体の中に発光光源を内装してなることを特徴とする靴類の形状保持具。
（３）光触媒が、アナターゼ型酸化チタンであることを特徴とする前記（１）又は（２）のいずれかに記載の靴類の形状保持具。
（４）光触媒層が噴霧により形成されたものであることを特徴とする前記（１）〜（３）のいずれか１項に記載の靴類の形状保持具。
（５）光触媒層が塗布により形成されたものであることを特徴とする前記（１）〜（３）にいずれか１項に記載の靴類の形状保持具。
（６）靴類が短靴であることを特徴とする前記（１）〜（５）のいずれか１項に記載の靴類の形状保持具。
（７）靴類がブーツであることを特徴とする前記（１）〜（５）のいずれか１項に記載の靴類の形状保持具。
（８）靴類がブーツであって、膨出時にブーツ筒状部の内部脹脛形状に相当する外形を形成する透明プラスチック製の筒状袋体であり、その上部壁に圧縮空気注入・排出用バルブを備えてなることを特徴とする前記（７）に記載の靴類の形状保持具。
（９）発光光源が電池とランプとからなることを特徴とする前記（１）〜（８）に記載の靴類の形状保持具。
（１０）発光光源が光ファイバー等の導光材料であることを特徴とする前記（１）〜（８）に記載の靴類の形状保持具。
（１１）一つの靴類の形状保持具の上部に、他の靴類の形状保持具をその上部で連結するための連結手段を備えてなることを特徴とする前記（１）〜（１０）のいずれか１項に記載の靴類の形状保持具。
【０００４】
【発明の実施の形態】
ここで、本願発明の実施の形態について図に基づいて説明する。
図１は、本発明の靴類の形状保持具を短靴に緩挿した状態の斜視図であり、図２は、本発明の靴類の形状保持具をブーツに緩挿した状態の斜視図である。図３〜図６は、本発明の靴類の形状保持具に抗菌・脱臭作用を付与するために光触媒層を形成する実施工程例を示す説明斜視図である。また、図７及び図８は、本発明の靴類の形状保持具に発光光源を内装した状態を示す斜視図である。また、図９及び図１０は、本発明の靴類の形状保持具の使用例を示す斜視図である。
図中、１、１０は靴類の形状保持具、１ａ、１０ａは光触媒層である。また、２は短靴、２０はブーツ、２０’はブーツの筒状部、３、３０は圧縮空気注入・排出用バルブ、４はスプレー、５は光触媒液、６、６０は連結具である。また、７、７ａはランプ、８、８ａは電池である。
【０００５】
本発明の靴類の形状保持具１は、図１及び図２に示すように、靴類に緩挿されるものであり、図１は短靴２に形状保持具１が緩挿されており、図２はブーツ２０の筒状部２０’に、形状保持具１０が緩挿されている。
靴類の形状保持具１、１０は、圧縮空気注入・排出用バルブ３、３０から空気を注入し充填することで、短靴２やブーツ２０の筒状部２０’内で膨出可能となる外形を備えた透明プラスチック製袋体により構成されている。例えば、形状保持具１０は、ブーツ２０の内部脹脛部の形状に相当する筒状体２０’の外形を備えたプラスチック製の筒状袋体により構成されている。
また、靴類の形状保持具１、１０は、柔軟で丈夫な透明プラスチック、例えば塩化ビニル樹脂、ポリエチレン樹脂、ポリプロピレン樹脂等で構成される。
そして、その表面部には光触媒層１ａ、１０ａを形成することにより、自然光、蛍光灯光等の光を受けて抗菌・脱臭作用を発揮させることができる。
【０００６】
靴類の形状保持具１、１０は、前述のように圧縮空気の充填により膨出可能なので、不使用時には、空気を排出した状態で減容して保存ができ、収納に場所をとらないように構成されている。
また、空気を排出し折り畳むと、非常にコンパクトになるため、携帯して外出することも可能である。
図１及び図２に示す靴類の形状保持具１、１０は、その頂部壁に圧縮空気注入・排出バルブ３、３０が備えられているが、圧縮空気注入・排出バルブ３、３０は、靴類の形状保持具１、１０内に圧縮空気の注入ができ、必要時にその排出ができる、浮き輪等に一般に採用される逆止弁付きバルブが好ましい。
また、図９及び図１０に示すように、２足の靴類の形状保持具１、１又は１０、１０の上部に連結具６、６又は６０、６０を備えることにより、２足の短靴２、２あるいは、ブーツ２０、２０を連結することができ、保管時等に紛失することを防ぐことができる。さらに、２足のブーツ２０、２０に各々靴類の形状保持具１０、１０を挿入し、上部で連結具６０、６０により連結しておけば２足のブーツは折れることなく、かつ自立し倒れることもないので、ブーツ２０の形状保持に大いに役立つ。
【０００７】
本発明の靴類の形状保持具１、１０は、短靴２の内部又はブーツ２０の筒状部２０’に緩挿しやすい形状である短靴２の内壁面形状又はブーツ筒状部２０’の内部形状、特にブーツ２０に関しては、脹脛外形に相当する外形を備えて形成されているため、短靴２又はブーツ２０の不使用時において短靴２の形状や、ブーツ２０の脹脛の形状が崩れないで形状維持ができる。なお、該形状保持具１、１０は、短靴２内に挿入しやすい形状及び、ブーツ２０内への挿入設置時に、ブーツ２０の筒状部２０’が折れ曲がらない程度の長さを有して形成されている。
そして、靴類の形状保持具１、１０は、その表面部が短靴２の内壁又はブーツの筒状部２０’の内壁に接触する形状であることが望ましい。
なお、図２に示すブーツ２０は、一般的なものであり、ブーツの筒状部２０’は、踝の部分が細く、脹脛〜膝の部分が太い形状であるが、筒状部２０’が短いブーツや、踝から脹脛〜膝にかけて筒状部２０’の太さが変化しないようなブーツの場合には、その内部形状に合わせ、形状保持具１０の形状は構成されてよい。
また、図１の短靴２においても、同様にそれぞれの内部形状に合わせ、形状保持具１の形状は構成される。
【０００８】
さらに、本発明の靴類の形状保持具１、１０において、その表面（外面）に光触媒層１ａ、１０ａを設けたものは、短靴２又はブーツ２０内に挿入された状態で上方から蛍光灯あるいは自然光が照射されると、同光は透明プラスチック膜を透過して表面の光触媒層１ａ、１０ａに当たり、そこで光触媒反応を起こす結果、光触媒層１ａ、１０ａが接触している短靴２の内壁面及びブーツ２０の内壁面に対して抗菌効果・消臭効果が発揮される。
【０００９】
本発明の靴類の形状保持具１、１０の表面に形成される光触媒層１ａ、１０ａは、液状の光触媒を噴霧したり、塗布することにより形成される。ここで特に好ましい光触媒としては、アナターゼ型酸化チタンが挙げられる。
こうした光触媒としては、例えば特許第２８７５９９３号公報に記載される「表面をペルオキソ基で修飾したアナターゼ微粒子が、水中に分散しているアナターゼ分散液」が好適に使用され、それは、チタン含有液体から沈殿法によって形成した水酸化チタン、もしくはチタン酸化物を水中に分散した液に、過酸化物を添加してペルオキソチタン溶液とした後に、ペルオキソチタン溶液を、８５〜２００℃において、４０〜２時間の加熱処理を行うことによって製造される。
また、光は外部からの自然光のみでなく、形状保持具１、１０の内部に光源（小型蛍光灯等）を配設することにより、靴類の奥部も抗菌・消臭作用を施すことができる。
【００１０】
光触媒は、酸化還元反応力を促進する物質であり、光触媒は、光が照射されると、電子（ｅ−）と正孔（ｈ＋）を発生させ、その電子と正孔により、水を水素と酸素に分解するという効果が生じさせる。
そして、上記光触媒反応により、光触媒と接触している有機物は、酸化還元反応が促進され、前記有機物は酸化分解し、炭酸ガスや水に分解されるので、細菌は消滅し、臭い等は分解される。
光触媒、特にアナターゼ型酸化チタンは、太陽光や蛍光灯の紫外線で、光触媒反応を起こすので、光触媒層１ａ、１０ａを形成してなる本発明の靴類の形状保持具１、１０は、室内等に保管する場合でも、光触媒層１ａ、１０ａによる抗菌・消臭作用が期待できる。
【００１１】
【実施例】
図３〜６は、本発明の靴類の形状保持具に抗菌・脱臭作用を付与するために光触媒層を形成する実施工程例を示す説明斜視図を示している。
まず、図３に示すように、空気が排出され折り畳まれている靴類の形状保持具１の圧縮空気注入・排出バルブ３から、圧縮空気を注入し、靴類の形状保持具１に圧縮空気を充填する。
図４は、空気が充填された状態の靴類の形状保持具１である。
次に、図５にあるように、空気が充填された靴類の形状保持具１にスプレー４で、光触媒液５を噴霧し、乾燥する。
その後、図６のように、全表面に光触媒層１ａを形成した靴類の形状保持具１を、短靴２に緩挿する。
そして、光触媒層１ａを形成した靴類の形状保持具１を緩挿した短靴２を、太陽光や蛍光灯の光が照射される場所に静置する。
図５では、光触媒層１ａの形成に、スプレー４で光触媒液５を噴霧しているが、光触媒層１ａの形成は塗布など、光触媒液５を靴類の形状保持具１の表面に付着させることができる手段であればよい。
さらに別の好ましい態様として、透明プラスチック製の袋体を製作する際の透明プラスチック製の原シート表面に光触媒層をコーテイング処理し、そうして得られた光触媒層を有する透明プラスチックシートを用いて、裁断・接着して本発明の靴類の形状保持具１、１０を製作することが挙げられる。
【００１２】
図７及び図８は、本発明の靴類の形状保持具１、１０に発光光源を内装した状態を示す斜視図である。
図７においては、靴類の形状保持具１の内壁面の一部に、少なくとも少量の紫外線光を発生するランプ７が内装されている。ランプ７は、電池８により発光し、靴類の形状保持具１内を照射し、形状保持具１の表面の光触媒に作用する。
また、図８では、ランプ７ａと電池８ａが靴類の形状保持具１０内の上下２個所にに内装され、靴類の形状保持具１０内を照射し、光触媒層１０ａの光触媒反応を促進している。
図７及び図８では、発光光源としてのランプ７、７ａ及び電池８，８ａを内装しているが、光ファイバー等の導光材料を内装することもできる。その他、光触媒層の光触媒反応を促進することができる光源で、かつ形状保持具１に内装できる発光光源であれば、どのような発光光源を使用してもよい。
上記のごとく靴類の形状保持具１、１０内に前記ランプ７、７ａ及び８、８ａなどを内装することにより、太陽光や蛍光灯の光の照射が少ない個所でも、光触媒層による光触媒反応を促進することができ、靴類の設置個所を選ぶことなく強力な抗菌・消臭効果が発揮される。
図９及び図１０は、本発明の抗菌・脱臭作用を有する靴類の形状保持具１、１０の使用例であり、形状保持具１、１０の上端に連結具６、６０を付設し、各々２つの形状保持具１、１又は１０、１０を連結して使用している。
【００１３】
【発明の効果】
本発明の靴類の形状保持具によれば、
靴類の保管時に、靴の形状が崩れることなく、またブーツにおいては、ブーツの筒状部が折れ曲がることなく、かつ脹脛部の形状を正確に保持することができるとともに、太陽光や蛍光灯の光の照射下で、光触媒層による光触媒反応により、抗菌・消臭効果が発揮されるので、靴類の手入れや衛生管理が非常に良好となる。
また、圧縮空気の注入・排出ができるので、保管時に場所を取らず、旅行時等にも携帯・使用できる。
そして、発光光源を内装することにより、あらゆる保管場所で、光触媒層の光触媒反応を生成させ、抗菌・消臭作用を発揮させることができる。
【図面の簡単な説明】
【図１】本発明の靴類の形状保持具を短靴に緩挿した状態の斜視図
【図２】本発明の靴類の形状保持具をブーツに緩挿した状態の斜視図
【図３】本発明の靴類の形状保持具に抗菌・脱臭作用を付与するために、光触媒層を形成する実施工程例を示す説明斜視図
【図４】本発明の靴類の形状保持具に抗菌・脱臭作用を付与するために、光触媒層を形成する実施工程例を示す説明斜視図
【図５】本発明の靴類の形状保持具に抗菌・脱臭作用を付与するために、光触媒層を形成する実施工程例を示す説明斜視図
【図６】本発明の靴類の形状保持具に抗菌・脱臭作用を付与するために、光触媒層を形成する実施工程例を示す説明斜視図
【図７】本発明の靴類の形状保持具に発光光源を内装した状態を示す斜視図
【図８】本発明の靴類の形状保持具に発光光源を内装した状態を示す斜視図
【図９】本発明の靴類の形状保持具の使用例を示す斜視図
【図１０】本発明の靴類の形状保持具に発光光源を内装した状態を示す斜視図
【符号の説明】
１      靴類の形状保持具
１ａ    光触媒層
２      短靴
３      圧縮空気注入・排出用バルブ
４      スプレー
５      光触媒液
６      連結具
７      ランプ
８      電池
１０    靴類の形状保持具
１０ａ  光触媒層
２０    ブーツ
２０’  ブーツの筒状部
３０    圧縮空気注入・排出用バルブ
６０    連結具
７ａ    ランプ
８ａ    電池
【図１】
0004780261.tif 000002
【図２】
0004780261.tif 000003
【図３】
0004780261.tif 000004
【図４】
0004780261.tif 000005
【図５】
0004780261.tif 000006
【図６】
0004780261.tif 000007
【図７】
0004780261.tif 000008
【図８】
0004780261.tif 000009
【図９】
0004780261.tif 000010
【図１０】
0004780261.tif 000011